(57)【要約】【課題】余剰した電気機器の配線を体裁よく収納することができるキャビネットを提供する。【解決手段】キャビネット本体（下部収納部４）の地板４２下方に台輪５を備えたキャビネット１であって、前記地板の奥端部４２ａ及び前記台輪の後部枠５０が、前記キャビネット本体の背板４３より前方に配置され、前記台輪の奥方に配線収納空間５ａが形成されていることを特徴とする。【選択図】図１
2011098058.tif 000002
【特許請求の範囲】
【請求項１】
キャビネット本体の地板下方に台輪を備えたキャビネットであって、
前記地板の奥端部及び前記台輪の後部枠が、前記キャビネット本体の背板より前方に配置され、前記台輪の奥方に配線収納空間が形成されていることを特徴とするキャビネット。
【請求項２】
請求項１において、
前記配線収納空間は、前記台輪の奥方の略全幅に設けられていることを特徴とするキャビネット。
【発明の詳細な説明】
【技術分野】
【０００１】
本発明は、電気機器などを収納することができるキャビネットに関する。
【背景技術】
【０００２】
従来より、ＡＶ（オーディオヴィジュアル）機器、ゲーム機、テレビなどの電気機器を収納することができるキャビネットとして、配線が外側から見えないように体裁よく配線を配設することができるものが知られている。
例えば下記特許文献１には、背板の前面側にテレビを取り付けるためのテレビ取付用パネルを有したテレビ設置用スペースと、このテレビ設置用スペースの下部にＡＶ機器収納部とを備えたキャビネットが開示されている。ここには、ＡＶ機器収納部の天板の後方に配線を挿通させるための切り欠きが設けられており、前記テレビ取付用パネルが前記切り欠きよりも前方に配設されたものが記載されている。
【先行技術文献】
【特許文献】
【０００３】
【特許文献１】特開２００６−４１９１７号公報
【発明の概要】
【発明が解決しようとする課題】
【０００４】
しかしながら上記特許文献１に記載のキャビネットは、ＡＶ機器収納部に配線を収納する収納空間がないため、電気機器の余剰した配線は、電気機器が載置された地板や棚板の上に束ねるなどして集約していた。
【０００５】
本発明は、上記実情に鑑みなされたものであり、余剰した電気機器の配線を収納可能なキャビネットを提供することを目的とする。
【課題を解決するための手段】
【０００６】
本発明に係るキャビネットは、キャビネット本体の地板下方に台輪を備えたキャビネットであって、前記地板の奥端部及び前記台輪の後部枠が、前記キャビネット本体の背板より前方に配置され、前記台輪の奥方に配線収納空間が形成されていることを特徴とする。
これによれば、余剰した電気機器の配線を体裁よく収納することができ、台輪のデッドスペースを有効に活用することができる。
【０００７】
本発明において、前記配線収納空間は、前記台輪の奥方の略全幅に設けられているものとしてもよい。
この場合は、余剰した配線を収納する空間を略全幅にわたって確保することができる。
【発明の効果】
【０００８】
本発明に係るキャビネットによれば、余剰した電気機器の配線を体裁よく収納することができる。
【図面の簡単な説明】
【０００９】
【図１】本発明に係るキャビネットの一実施形態を示す概略断面図である。
【図２】図１におけるＸ−Ｘ線矢視断面図である。
【図３】同キャビネットの全体斜視図である。
【発明を実施するための形態】
【００１０】
以下に本発明の実施の形態について、図面に基づいて説明する。
図１〜図３は本発明のキャビネット１の一実施形態を示すものである。
図例のキャビネット１は、複数のユニットキャビネットを組み合わせてひとつのキャビネットを構成しており、上部収納部２と、テレビ収納部３と、下部収納部４とよりなる縦長矩形状の３段のキャビネット（ミドルユニット）１を示している。
キャビネット１は、リビングなどの居室空間の壁面１１に沿って床面１０に直接設置され、下部収納部４の地板４２（底板）下方に台輪５を備え、地板４２の奥端部４２ａ及び台輪５の後部枠５０が、下部収納部４の背板４３より前方に配置されて、台輪５の奥方に配線収納空間５ａが形成されている。
よって、上部収納部２やテレビ収納部３の構成は特に限定されるものではないが、一例として以下、説明する。
図中、８０はテレビ８の配線を示し、配線８１０はテレビ８に電圧を供給するための配線だけでなく、電気機器９に接続される配線も含む。９０は電気機器９が電圧の供給を受けるためにコンセント１２に接続される配線を示している。
【００１１】
まずは上段に設けられた上部収納部２について説明する。上部収納部２は、天板２０と、一対の側板２１と、地板２２と、背板２３とよりなる前面開口の箱体からなり、前面開口は、開閉自在に構成された前板２４で塞がれている。
上部収納部２は、棚板２５と仕切板２６とによって複数の収納空間に仕切られており、ＤＶＤデッキやゲーム機などの電気機器９や小物などを収納することができる。テレビ収納部３に近い下段の中央にある収納空間は、棚板２９によってさらに２つの収納空間に仕切られ、その上段に電気機器９が収納されている。
下段中央の収納空間を上下に仕切る棚板２９の奥行き寸法は、好ましくは側板２１、天板２０及び地板２２の奥行き寸法より短く形成し、この棚板２９の奥方に配線９０を這わせることができる配線空間２９ａが形成されているものとしてもよい。
【００１２】
上部収納部２の背板２３には、好ましくは図１に示すように壁面１１に設けられたコンセント１２に対応する位置にコンセント開口部２７が形成されており、このコンセント開口部２７は、コンセント１２が露出するようにコンセント１２の形状に合わせて形成されていることが望ましい。この場合は、コンセント１２の位置が確認しやすく配線処理がしやすくなる。
上部収納部２の地板２２にはテレビ８や電気機器９の配線８０，９０を挿通させる配線開口部２８が開口形成されており、この配線開口部２８は、テレビ収納部３の天板３０に形成された配線開口部３３と連通するように形成されている。
【００１３】
次に中段に設けられたテレビ収納部３について説明する。テレビ収納部３は、天板３０と、一対の側板３１と、背板３２とよりなる前面開口の枠体からなり、下部収納部４の天板４０の上に載置されるように設けられる。背板３２の前面には、テレビ８（図１・２点鎖線参照）が専用取付具８ａで取り付けられ、背板３２は対向する一対の側板３１によって支持されている。背板３２の中央にはテレビ８の配線８０を挿通させるための背板配線開口部３４が平面視して方形状に形成されている。
【００１４】
テレビ収納部３の枠体が載置される下部収納部４の天板４０の奥行き寸法は、好ましくはテレビ収納部３の天板３０の奥行き寸法より短く形成し、図のように下部収納部４の天板４０の奥行き寸法がテレビ収納部３の天板３０における奥行き寸法の略半分としてもよい。
テレビ収納部３の背板３２は、下部収納部４の天板４０の奥側端部４０ａからテレビ収納部３の天板３０の下面３０ａに向けて略垂直に立設されている。そして、このように背板３２を配置することにより、テレビ収納部３の背板３２の後方には配線空間６が形成される。また下部収納部４の天板４０がキャビネット１の奥行き寸法より短く形成されているので、下部収納部４の天板４０の後方には配線空間６と、この配線空間６と連通する連通空間７が形成される。
【００１５】
続いて下段に設けられた下部収納部４について説明する。下部収納部４は、天板４０と、一対の側板４１と、地板４２（底板）と、背板４３とよりなる前面開口の箱体からなり、前面開口は前板４４によって塞がれている。なお、ここでは下部収納部４の前面開口は、開閉自在に構成された前板４４で塞がれた例を示しているが、これに限定されず、前板４４を備えていないオープンラックとしてもよい。
下部収納部４内には、上下に空間を仕切る棚板４５と左右に空間を仕切る仕切板４６とが設けられ、図３に示すように下部収納部２内が複数の収納空間に仕切られることにより、ＤＶＤデッキやゲーム機などの電気機器９や小物などを収納することができる。
【００１６】
棚板４５の奥行き寸法は、側板４１の奥行き寸法より短く形成されており、その奥方に配線空間４５ａが形成されている。このとき、棚板４５の前側端部は、天板４０などの前側端部と同じ位置に設けられる。
背板４３には壁面１１に設けられたコンセント１２に対応する位置にコンセント開口部（不図示）が形成されており、このコンセント開口部は、コンセント１２が露出するようにコンセント１２の形状に合わせて形成されている。これによって、コンセント１２の位置が確認しやすく配線処理がしやすくなり、図のように下部収納部４の下段に置かれた電気機器９の配線９０は配線空間４５を通じてコンセント１２に容易に接続することができる。
【００１７】
地板４２の下方には平面視して方形の枠体からなる台輪５を備えており、台輪５は前部枠５１、後部枠５０、側部枠５２（図３参照）で構成されている。
地板４２の奥側端部４２ａ及び台輪５の後部枠５０は、下部収納部４の地板４２より前方に配置されており、台輪５の奥方には配線収納空間５ａが形成されている。
この配線収納空間５ａには、下部収納部４に収納された電気機器９の余剰配線を集約して体裁よく収納しておくことができるので、デッドスペースであった台輪５の奥方の空間を有効に活用することができる。また、例えば前板４４を備えていないオープンラックからなる下部収納部４であっても、前方から余剰した配線９０が見えず、雑多な印象を与えることがない見栄えのよいキャビネット１とすることができる。
【００１８】
図２は図１のＸ−Ｘ線断面図を示しており、ここではテレビ８の配線８０の図示は省略する。また図３の部分拡大図では前板４４の図示を省略する。
ここに示すように配線収納空間５ａは、台輪５の奥方の略全幅に設けられており、左右に空間を仕切る仕切板４６の奥方下部には図３の部分拡大図に示すように連通部５ｂが形成されている。
これによれば、仕切板４６が設けられている位置に関係なく、余剰した配線９０を収納することができる。
また、この配線収納空間５ａを配線挿通空間としても利用できる。例えば左右に仕切られた空間のそれぞれに電気機器９を設置した場合には、連通部５ｂに配線９０を這わせて隣接する収納空間側へ配線９０を引き込むことができる。
さらに配線収納空間５ａ、連通部５ｂ及び上述の配線空間４５ａを利用すれば配線自由度が高い収納空間を構成することができる。
【００１９】
以上、キャビネット１の形状、大きさ、構成は図例に限定されるものではない。
例えば上部収納部２を備えていないものであってもよい。また台輪５の奥方に形成された配線収納空間５ａには、配線８０，９０だけでなく、普段使わないものなどを収納しておく場所として利用することもできる。さらに下部収納部４の天板４０の前側端部は、天板３０の前側端部や側板３１の前側端部と同じ位置に設けられる場合を示しているが、これに限定されず、これらより下部収納部４の天板４０の前側端部が前方に突出してもいてもよい。
そしてキャビネット１に載置、収納される電気機器は図例のものに限定されず、ＡＶ機器に限らずパソコンやプリンタ、照明器具などを収納することができる。
【符号の説明】
【００２０】
１      キャビネット
４      下部収納部
４２      地板
４３      背板
４２ａ      奥端部
５      台輪
５ａ      配線収納空間
５０      後部枠
【図１】
2011098058.tif 000003
【図２】
2011098058.tif 000004
【図３】
2011098058.tif 000005